(57)【要約】      （修正有）【課題】スポンジ表面における接触部位に応じて異なる肌触りを実現することができ、肌触りの変化を楽しむことのできる洗浄用具を提供すること。【解決手段】ボディスポンジは、実質的に平板状の本体スポンジ７と、本体スポンジ７よりも体積が小さく、その表面７ａの一部のみに積層配置された隆起スポンジ８と、それらを覆う接着シート９と、接着シート９を介して本体スポンジ７と隆起スポンジ８とを覆うことにより外観視において部分的に隆起する表面素材と、本体スポンジ７の裏面７ｂを覆い、その周囲において表面素材と接合された裏面素材と、裏面素材に形成されたポケット部と、本体スポンジ７の周囲近傍に配置されたストラップ部とを有する。【選択図】図３
0003181094.tif 000002
【実用新案登録請求の範囲】
【請求項１】
実質的に平板状の第１スポンジと、
前記第１スポンジよりも体積が小さく、前記第１スポンジの表面の一部のみに積層配置された第２スポンジと、
前記第１スポンジの表面と前記第２スポンジの表面とを覆う接着シートと、
前記接着シートを介して前記第１スポンジの表面と前記第２スポンジの表面とを覆うことにより外観視において部分的に隆起する表面素材と、
前記第１スポンジの裏面を覆い、該第１スポンジの周囲において前記表面素材と接合された裏面素材と、を有する洗浄用具。
【請求項２】
前記裏面素材に形成されたポケット部と、
前記第１スポンジの周囲近傍に配置されたストラップ部と、を更に有する請求項１に記載の洗浄用具。
【請求項３】
前記表面素材の表面側に、その隆起形状に応じた画像が形成されている請求項１又は請求項２に記載の洗浄用具。
【考案の詳細な説明】
【技術分野】
【０００１】
本考案は、洗浄用具に関し、特に、浴室等で身体や顔等の身体的部位の洗浄に用いるボディスポンジとしての洗浄用具に関する。
【背景技術】
【０００２】
従来より、洗浄用具の一種としてボディスポンジが知られている。ボディスポンジは、浴室等で身体や顔等の身体的部位を洗浄するために用いられる。例えば、ボディスポンジに水分と洗浄剤（石鹸やボディソープ等）とを含ませて身体を洗えば泡立ちがよく、身体を清潔に洗浄することができる。
【０００３】
従来のボディスポンジとして、例えば、略直方体形状のものがある（例えば、特許文献１を参照。）このようなボディスポンジを用いる場合、一般にボディスポンジ全体をわし掴みにして身体を洗浄する。特許文献１に開示のボディスポンジは、表面にスリットが形成されており、スポンジの肌触りを変更することができるものとされている。
【先行技術文献】
【特許文献】
【０００４】
【特許文献１】特開２０００−０１４５９１号公報
【考案の概要】
【考案が解決しようとする課題】
【０００５】
従来のボディスポンジでは、全体をわし掴みにして身体を洗浄するので、身体に接触するボディスポンジの表面部分の形状は変形したり潰れた状態である。したがって、あまり変形しない状態でのボディスポンジ本来の肌触りを実現することが困難であった。また、ボディスポンジ表面が単に平面であるか、又は規則的な凹凸やスリットが形成されるに留まり、スポンジ表面における接触部位に応じて異なる肌触りを実現することができていなかった。したがって、身体の洗浄中に肌触りの変化を楽しむことが難しかった。
【０００６】
本考案は、上記の事情に鑑みてなされたもので、スポンジ表面における接触部位に応じて異なる肌触りを実現することができ、肌触りの変化を楽しむことのできる洗浄用具を提供することを例示的課題とする。また、あまり変形させないで使用することができ、変形の少ない状態での本来の肌触りを実現することのできる洗浄用具を提供することも例示的課題とする。
【課題を解決するための手段】
【０００７】
本考案の例示的側面としての洗浄用具は、実質的に平板状の第１スポンジと、第１スポンジよりも体積が小さく、第１スポンジの表面の一部のみに積層配置された第２スポンジとを有する。第１スポンジの表面と第２スポンジの表面とは接着シートによって覆われている。第１スポンジの表面と第２スポンジの表面とは接着シートを介して表面素材によって覆われており、表面素材は外観視において部分的に隆起している。第１スポンジの裏面は、第１スポンジの周囲において表面素材と接合された裏面素材によって覆われている。
【０００８】
洗浄用具は、裏面素材に形成されたポケット部と、第１スポンジの周囲近傍に配置されたストラップ部と、を更に有してもよい。また、表面素材の表面側に、その隆起形状に応じた画像が形成されていてもよい。
【０００９】
本考案の更なる目的又はその他の特徴は、以下添付図面を参照して説明される好ましい実施の形態によって明らかにされるであろう。
【考案の効果】
【００１０】
本考案によれば、スポンジ表面における接触部位に応じて異なる肌触りを実現することができ、肌触りの変化を楽しむことができる。また、あまり変形させないで使用することにより、変形の少ない状態での本来の肌触りを実現することができる。更に、第１スポンジと第２スポンジとの形状や配置を洗浄対象（例えば、身体、食器、浴室等）の形状に合わせて適正なものとすることで、洗浄対象の洗浄力を向上させることができる。
【図面の簡単な説明】
【００１１】
【図１】本考案の実施の形態に係るボディスポンジを表面側から矢視した外観斜視図である。
【図２】図１のボディスポンジを裏面側から矢視した外観斜視図である。
【図３】図１のボディスポンジから表面素材及び裏面素材を除外した分解内部構成図である。
【図４】図１に示す切断面によってボディスポンジを切断した断面図である。
【考案を実施するための形態】
【００１２】
以下、本考案の実施形態について図面を用いて説明する。図１は、実施形態に係るボディスポンジ（洗浄用具）１を表面１ａ側から矢視した外観斜視図である。このボディスポンジ１は、全体として平面視四角形状を呈するが、表面１ａ側の一部が部分的に隆起して隆起部１ｃを構成しており、表面１ａが平板状でない。
【００１３】
ボディスポンジ１の表面１ａは、表面素材２により覆われている。表面素材２は、綿や麻等の自然繊維で形成された繊維生地であってもよいし、ナイロン、ポリエステル、レーヨン等の化学繊維で形成された繊維生地であってもよいし、不織布であってもよい。表面素材２は伸縮性を有する生地であってもよい。また、本実施形態では、表面素材２の裏面（内面）側にポリウレタン等の素材により形成される支持層が形成されているが、詳細は後述する。
【００１４】
表面１ａには、キャラクタや幾何学模様等の画像６が描かれている。画像６は、表面１ａに構成された隆起部１ｃに応じた模様や形状に形成されており、隆起部１ｃの隆起形状と相俟って、あたかも画像６が立体的に描かれたような擬似立体感を演出する。表面１ａに画像６が描かれているので、使用者が浴室等で身体を洗浄する際に、興趣を得ることができる。更に、画像６が隆起部１ｃによって擬似的に立体的に感じられるので、一層興趣が増す。
【００１５】
図２は、ボディスポンジ１を裏面１ｂ側から矢視した外観斜視図である。図１及び図２に矢印で示すように、ボディスポンジ１における表面側、裏面側の方向を定義するものとする。ボディスポンジ１の裏面１ｂは、裏面素材３により覆われている。裏面素材３も表面素材２と同様に自然繊維又は化学繊維で形成された繊維生地であってもよいし、不織布であってもよい。本実施形態では、裏面素材３はタオル地（パイル生地）により形成され、手触りの良さ、柔軟性の向上を実現している。
【００１６】
裏面１ｂには、ポケット部４が形成されている。ポケット部４は、裏面１ｂの全体又は一部分を二枚重ね構造としてポケットを構成する部分である。このポケット部４内に使用者が手を入れることができるようになっている。
【００１７】
ボディスポンジ１の周囲近傍には、ストラップ部５が配置されている。ストラップ部５は、例えば、ループ状とされた紐等によって構成されている。ストラップ部５によって、ボディスポンジ１を浴室内のフック等に引っ掛けて保管することができるようになっている。
【００１８】
図３は、表面素材２及び裏面素材３を除外したボディスポンジ１の分解内部構成図である。図４は、ボディスポンジ１の断面図である。図４は、図１における隆起スポンジ（第２スポンジ）８を通る切断面Ｐによってボディスポンジ１を切断した断面図である。ボディスポンジ１は、内部に本体スポンジ（第１スポンジ）７、隆起スポンジ８、接着シート９を有して大略構成される。
【００１９】
本体スポンジ７は、全体として方形状（平面視四角形状）を呈しており、所定厚を有する平板状である。本実施形態では、本体スポンジ７は、ポリウレタン等の材料で構成された多孔質スポンジであり、非圧縮状態での厚さは１ｃｍ〜３ｃｍ程度とされている。ここで厚さ、とはボディスポンジ１の表裏方向の厚さを意味する。
【００２０】
隆起スポンジ８は、本体スポンジ７よりも体積が小さく、本体スポンジ７の表面７ａの一部のみに積層するように配置されている。すなわち、ボディスポンジ１を表面側から見たときに、隆起スポンジ８の面積が本体スポンジ７の面積よりも小さく、その配置位置が本体スポンジ７の表面７ａ全体でなく一部分とされている。
【００２１】
隆起スポンジ８は、ボディスポンジ１の表面１ａ側において、隆起部１ｃを形成するように所定の厚さを有する。本実施形態では、隆起スポンジ８は、ポリウレタン等の材料で構成された多孔質スポンジであり、非圧縮状態での最大厚さは２ｃｍ〜８ｃｍ程度とされている。自然な隆起を呈するように、隆起スポンジ８の周囲８ｄ近傍にはなだらかな傾斜面８ａが形成され、隆起スポンジ８の厚さは中央部８ｃ近傍よりも周囲８ｄ近傍の方が薄くなっていてもよい。
【００２２】
隆起スポンジ８の裏面８ｂは本体スポンジ７の表面７ａと接触している。この接触部分において、隆起スポンジ８と本体スポンジ７とは接着されている。両スポンジ７，８が接着されているので、ボディスポンジ１の使用時に、隆起スポンジ８が本体スポンジ７からズレてしまうことが防止される。接着は、接着剤によるものであっても接着テープによるものであっても溶着によるものであっても構わない。
【００２３】
接着シート９は、本体スポンジ７と隆起スポンジ８の表面側を覆うように配置されている。接着シート９は、全体として本体スポンジ７の表面７ａと略同じ面積を有している。接着シート９は、例えば、基材表面に溶着剤が含浸されたホットメルト用シートであり、高周波等を用いた加熱により接着機能を発揮する。
【００２４】
本体スポンジ７及び隆起スポンジ８の表面と表面素材２との間に接着シート９を配置し、加熱することで、表面素材２の裏面側とスポンジ７，８とが少なくとも部分的に接着される。これにより、ボディスポンジ１の使用時に、表面素材２と内部のスポンジ７，８とがズレてしまうことが防止される。本実施形態では、表面素材２の裏面側に後述する支持層２ａが接着又は溶着により配置されており、実質的には本体スポンジ７及び隆起スポンジ８の表面と支持層２ａとが接着シート９により接着されることとなる。
【００２５】
なお、隆起スポンジ８の周囲８ｄ近傍においては、表面素材２と隆起スポンジ８とが接着されていても、接着されていなくてもよい。隆起スポンジ８の周囲８ｄ近傍において表面素材２と隆起スポンジ８とが接着されていない場合、隆起スボディスポンジ１の外観視において、本体スポンジ７と隆起スポンジ８との接続部分が滑らかに繋がり、表面素材２における隆起が滑らかに表現される。
【００２６】
表面素材２の裏面側には、支持層２ａが配置されている。支持層２ａは、表面素材２の裏面側に接着剤若しくは接着シートにより接着され、又は、熱若しくは超音波により溶着されている。支持層２ａは、例えば本体スポンジ７と同様にポリウレタン等の材料で構成された多孔質スポンジで形成され、その非圧縮状態での厚さが１ｍｍ〜５ｍｍ程度とされている。支持層２ａは、表面素材２の裏面全体に配置され、全体の厚さが略一定の平板状とされている。支持層２ａが表面素材２を裏面側から支持することにより、ボディスポンジ１の使用時に表面素材２にシワが生じにくくなり、使用感が向上するという効果を得る。表面素材２が伸縮性を有していれば、ボディスポンジ１の使用感は更に向上する。
【００２７】
表面素材２と裏面素材３とは本体スポンジ７の周囲において接合され接合部２ｂを構成する。接合部２ｂにおいて表面素材２と裏面素材３とが接合されることにより、両素材２，３により構成される内部空間に本体スポンジ７及び隆起スポンジ８を封入することができる。表面素材２が本体スポンジ７と隆起スポンジ８の表面を覆い、裏面素材３が本体スポンジ７の裏面７ｂを覆う。接合部２ｂは、両素材２，３を縫製することにより構成されてもよいし、両素材２，３をホットメルトテープや接着剤により接着することにより構成されてもよい。
【００２８】
上記のようにボディスポンジ１を構成することで、使用者は、ポケット部４に手を入れて、表面素材２側で身体を洗浄することができる。したがって、ボディスポンジ１の使用時にボディスポンジ１全体の形状をあまり変形させないで使用することができる。また、使用しない場合には、ストラップ部５によって浴室等のフックに引っ掛けて保管することができる。
【００２９】
ボディスポンジ１の表面１ａに部分的な隆起部１ｃが形成されているので、身体への接触部位に応じて（隆起している部分や隆起していない部分に応じて）異なる肌触りを実現することができる。また、その隆起部１ｃが画像６と相俟って画像６の立体感を演出し、身体の洗浄時にも使用者は興趣を得ることができる。
【００３０】
なお、本考案に係る洗浄用具は、身体を洗浄するボディスポンジ以外の洗浄用具にも適用することができる。例えば、食器洗い用の食器スポンジ、浴室洗い用の浴室スポンジ等に本考案を適用することができる。隆起部分と非隆起部分とを各々の形状に合った洗浄箇所に用いることにより、洗浄対象（食器や浴室）の洗浄力向上に寄与することができる。
【００３１】
以上、本考案の好ましい実施形態を説明したが、本考案はこれらに限定されるものではなく、その要旨の範囲内で様々な変形や変更が可能である。
【００３２】
本体スポンジ７は、方形状に限定されず、平面視円形状であっても、楕円形状であっても、他の多角形状であってもよい。また、画像６に関連するキャラクタをかたどった形状であってもよい。隆起スポンジ８が本体スポンジ７の表面７ａ上で配置される位置、配置個数にも制限はない。画像６と相俟った立体感を演出する隆起が形成されればよい。その画像６もアニメや有名人等のキャラクタであってもよいし、何らかの幾何学的模様であってもよいし、特定の事物を示すロゴマークであってもよい。写真であってもよい。
【００３３】
上記実施形態では、本体スポンジ７の表面７ａと隆起スポンジ８の裏面８ｂとを接着する例について説明したが、もちろん接着しなくてもよい。また、隆起スポンジ８の外径形状に沿って本体スポンジ７の表面７ａが部分的に凹部とされ、その凹部に隆起スポンジ８が嵌り込むようになっていてもよい。それにより、両スポンジ７，８を接着しなくても位置ズレ防止効果を得ることができる。
【符号の説明】
【００３４】
切断面：Ｐ
ボディスポンジ（洗浄用具）：１
表面：１ａ
裏面：１ｂ
隆起部：１ｃ
表面素材：２
支持層：２ａ
接合部：２ｂ
裏面素材：３
ポケット部：４
ストラップ部：５
画像：６
本体スポンジ（第１スポンジ：）７
表面：７ａ
裏面：７ｂ
隆起スポンジ（第２スポンジ）：８
傾斜面：８ａ
裏面：８ｂ
中央部：８ｃ
周囲：８ｄ
接着シート：９
【図１】
0003181094.tif 000003
【図２】
0003181094.tif 000004
【図３】
0003181094.tif 000005
【図４】
0003181094.tif 000006